(57)【特許請求の範囲】
【請求項１】
ブラジャーバンド係止のためのホック又はアイレット等の係止金具を巾方向に一定間隔で多数個分横方向に取り付けた帯状シート体を移動テーブル上に載置し、所定位置に該帯状シート体の巾方向をシールする溶着金具と超音波発振器を配設し、送り爪により帯片を１ピッチ前進し、前記溶着金具と超音波発振器により隣接する係止片と係止片の中間部を２条にシールし、次いで移動テーブルを帯状シート体を載置したまゝ１ピッチ前進させて該２条のシール部の側端面迄の距離が等しい中央部をカット刃位置迄前進してカットし、次いで移動テーブルを元の位置に戻し、順次上記動作を繰返す如くしたブラジャーバンド用係止片連続成形方法。
【発明の詳細な説明】
【０００１】
【発明の属する技術分野】
本発明は、ブラジャーバンドの端部に取り付けるホック又はアイレット等の係止金具を取り付けた係止片の連続成形方法に関する。
【０００２】
【従来の技術】
本出願人は先に図１４、図１５に示すように、合成樹脂製帯状シートの巾方向に複数のホックを取り付け、更に横方向に同一状態で所定間隔にホックを取り付けたホック付帯状シート１００をスプロケット１０１と押圧ローラ１０２で間歇移動し、第１の停止位置でホックの有無を検知し、次の停止位置で巾方向所定位置をシール装置１０３で２条に平行シールし、次の停止位置で２条の平行シール部中間をカッター装置１０４でカットするようにしたブラジャー用ホック付係止片の成形方法を開発した。
【０００３】
【発明が解決しようとする課題】
上記従来技術は、布地の伸縮やホック縫いつけ位置の誤差などにより、搬送は必ずしも一定の寸法にはならない。取付片の巾やホック位置のある程度の不揃いはさして商品価値に影響するものではないが、図１５に示す如く、シール部から取付片端面の距離が左右一定でないものは外観上特に目に付きやすく、商品価値が著しく低下するという問題点があった。
【０００４】
【課題を解決するための手段】
本発明は上記問題点を解決することを目的とし、ブラジャーバンド係止のためのホック又はアイレット等の係止金具を巾方向に一定間隔で多数個分横方向に取り付けた帯状シート体を移動テーブル上に載置し、所定位置に該帯状シート体の巾方向をシールする溶着金具と超音波発振器を配設し、送り爪により帯片を１ピッチ前進し、前記溶着金具と超音波発振器により隣接する係止片と係止片の中間部を２条にシールし、次いで移動テーブルを帯状シート体を載置したまゝ１ピッチ前進させて該２条のシール部の側端面迄の距離が等しい中央部をカット刃位置迄前進してカットし、次いで移動テーブルを元の位置に戻し、順次上記動作を繰返す如くしたことを特徴とする。
【０００５】
【発明の実施の形態】
本発明の実施の形態を図１乃至図１２に示した一実施例に基づいて詳細に説明する。
１は複数枚のナイロンシートを重合した帯状シートで、巾方向に一定間隔で数個のホック２を並べて配設し、横方向に同一状態のホックを一定間隔で配設し、ミシン縫い部３，４で一体に取り付け、下方は図２に示す如く、かんのん開きできるように開口部５を形成した帯状シート体６である。７は該帯状シート体６を載置し往復摺動する移動テーブル、８は軸９を中心に時計方向に回転するカム板、１０は該カム板８に圧接している移動テーブル７下方に突設した係合杆、１１は移動テーブル７前方所定位置上方に配設し上下動する溶着金具、１２はその方向に対向配設した超音波発振器、１３は溶着金具１１の１ピッチ前方に配設したカット刃、１４は下刃である。１５は移動テーブル７上の帯状シート体６を１ピッチ送る送り爪である。
【０００６】
次に作用について説明する。
帯状シート体６を図３の如く移動テーブル７上に載置し、図４の如く隣接する係止片間が溶着金具１１の下方に位置するように送り爪１５により１ピッチ送り出す。溶着金具１１は図１１に示す如く、１対の平行電極１１ａ，１１ｂが形成されており、図５の如く溶着金具１１を下降すると隣接する取付片と取付片の中間部が図１２の如く２条にシールされる。次いで図６の如く溶着金型１１と送り爪１５を上昇する。次に図７の如く移動テーブル７を帯状シート体６をのせたまゝ１ピッチ前方に送る。この時、前記２条のシール部２０，２１の中間がカット刃１３の位置迄正確に移動する。次いで図８の如くカット刃１３が下降して前記シール部２０，２１の中間部をカットすると、図１２に示すような両側シール部２０，２１の側端面迄の距離が等しい取付片１６が切り落される。次いで図９の如く、カット刃１３が上昇する。次いで図１０の如くカム板８が更に１／４回転し、係合杆１０が該カム板８に当接し乍ら送り爪１５と移動テーブル７とが原点に戻る。
上記動作を繰返すことにより、図１２に示すような良品の取付片１６が連続成形される。
なお、ホックの代りにアイレットを用いても同様である。
【０００７】
【発明の効果】
本発明によると、ブラジャーバンド係止のためのホック又はアイレット等の係止金具を巾方向に一定間隔で多数個分横方向に取り付けた帯状シート体を移動テーブル上に載置し、所定位置に該帯状シート体の巾方向をシールする溶着金具と超音波発振器を配設し、送り爪により帯片を１ピッチ前進し、前記溶着金具と超音波発振器により隣接する係止片と係止片の中間部を２条にシールし、次いで移動テーブルを帯状シート体を載置したまゝ１ピッチ前進させて該２条のシール部の側端面迄の距離が等しい中央部をカット刃位置迄前進してカットし、次いで移動テーブルを元の位置に戻し、順次上記動作を繰返す如くしてあるので、シールカットした取付片の両側シール部から両端面迄の距離が一定で同一となり商品価値が向上する。
【図面の簡単な説明】
【図１】  本発明に用いるブラジャーバンドに取り付ける金具を連設した帯状取付体の平面図である。
【図２】  図１の側断面図である。
【図３】  本発明に用いる装置の原点時正面図である。
【図４】  図３の帯状取付体を１ピッチ搬送した時の正面図である。
【図５】  図４の溶着金具が下降した時の正面図である。
【図６】  図６の溶着金具と送り爪とが上昇した時の正面図である。
【図７】  図６の移動テーブルが１ピッチ移送された時の正面図である。
【図８】  図７のカット刃が下降してカットした時の正面図である。
【図９】  図８のカット刃が上昇した時の正面図である。
【図１０】  図９の送り爪と移動テーブルが原点に戻った時の正面図である。
【図１１】  本発明のシール作用説明正面図である。
【図１２】  図１１のシールされた帯状シート体平面図である。
【図１３】  本発明により成形された取付片平面図である。
【図１４】  従来の方法を施す装置の正面図である。
【図１５】  図１４の従来方法により成形された取付片平面図である。
【符号の説明】
１    帯状シート
２    ホック
３，４    ミシン縫い部
５    開口部
６    帯状シート体
７    移動テーブル
８    カム板
１０    係合杆
１１    溶着金具
１２    超音波発振器
１３    カット刃
１４    下刃
１５    送り爪
【図１】
0003805075.tif 000002
【図２】
0003805075.tif 000003
【図３】
0003805075.tif 000004
【図４】
0003805075.tif 000005
【図５】
0003805075.tif 000006
【図６】
0003805075.tif 000007
【図７】
0003805075.tif 000008
【図８】
0003805075.tif 000009
【図９】
0003805075.tif 000010
【図１０】
0003805075.tif 000011
【図１１】
0003805075.tif 000012
【図１２】
0003805075.tif 000013
【図１３】
0003805075.tif 000014
【図１４】
0003805075.tif 000015
【図１５】
0003805075.tif 000016